(57)【要約】      （修正有）【課題】部品点数の増加と組立作業の複雑化を抑え、製造コストが高くならない握りボタンユニットの接点構造を提供する。【解決手段】複数のボタンを有する握りボタンユニットの接点構造であって、前記握りボタンユニット側面に形成された第１のボタンの押下により、前記握りボタンユニットに内蔵された電気回路基板２０上に配置されたメカスイッチ１０がスイッチオンする構造を有し、前記握りボタンユニットの側面に形成された第２のボタンを押下した際には、前記電気回路基板が前記第２ボタンによって押されることにより前記第１のボタン側にたわむことで、前記電気回路基板上のメカスイッチが前記第１のボタンと前記第２のボタンに挟まれてスイッチオンする構造とし、複数のボタンに対応した接点構造をメカスイッチ１個で達成する。【選択図】図１
0003162933.tif 000002
【実用新案登録請求の範囲】
【請求項１】
複数のボタンを有する握りボタンユニットの接点構造であって、
前記握りボタンユニット側面に形成された第１のボタンと、前記握りボタンユニットに内蔵された電気回路基板上の第１のボタン側に配置されたメカスイッチと、前記第１のボタンと対向する握りボタンユニットの側面に形成された第２のボタンと、を有し、
前記電気回路基板はたわむことが可能な電気回路基板であって、前記第１のボタンの押下により前記メカスイッチをスイッチオンすると共に、前記第２のボタンの押下により前記電気回路基板が前記第１のボタン側にたわみ、前記メカスイッチが前記第１のボタン側に移動して前記メカスイッチをスイッチオンすることを特徴とする握りボタンユニットの簡易接点構造。
【考案の詳細な説明】
【技術分野】
【０００１】
本考案は、ナースコールシステム等に適用される、複数のボタンを有する呼び出し側の握りボタンユニットの簡易な接点構造に関する。
【背景技術】
【０００２】
従来、ナースコールシステム等に適用される、呼び出し側のボタンユニットのボタンの押下（スイッチオン）は１方向に限定されていた。このため、緊急事態に陥っている患者等が看護師等を呼ぶ際に、ボタンユニットのボタンを押下し損なう恐れがあった。
これを改善するボタンユニットとして、複数のボタンを有する握りボタンユニットがある（例えば特許文献1）。
【先行技術文献】
【特許文献】
【０００３】
【特許文献１】特開２００５−３４９０４２号公報
【考案の概要】
【考案が解決しようとする課題】
【０００４】
しかしながら、従来の握りボタンユニットは、複数方向からのボタンの押下をカム構造等の方向変換機構により、ボタンの押下方向の移動を一方向の移動となるようにメカニカルに方向変換し、プリント基板の１箇所にある接点またはスイッチ部品をオンするようにしていた。このため、この方向変換に係るメカニカルな構造を構成する部品点数が増え、且つ構造が複雑化して組立作業の効率性が低くなるので、製造コストが高いという欠点があった。
【０００５】
そこで、本考案の課題は、部品点数の増加と組立作業の複雑化を抑え、製造コストが高くならない握りボタンユニットの簡易接点構造を実現することにある。
【課題を解決するための手段】
【０００６】
上記の課題を解決するために、本考案は、複数のボタンを有する握りボタンユニットの接点構造であって、前記握りボタンユニット側面に形成された第１のボタン(以下、右サイドボタンと呼称する)と、前記握りボタンユニットに内蔵された電気回路基板上の右サイドボタン側に配置されたメカスイッチと、前記右サイドボタンと対向する握りボタンユニットの側面に形成された第２のボタン（以下、左サイドボタンと呼称する）と、を有し、前記電気回路基板はたわむことが可能な電気回路基板であって、前記右サイドボタンの押下により前記メカスイッチをスイッチオンすると共に、前記左サイドボタンの押下により前記電気回路基板が前記右サイドボタン側にたわみ、前記メカスイッチが前記右サイドボタン側に移動して前記メカスイッチをスイッチオンすることを特徴とする。
【考案の効果】
【０００７】
本考案によれば、複数方向からのボタンの押下操作に対して１個のメカスイッチで対応でき、しかも、移動方向の変換に係る複雑なメカニカル構造が不要なので、部品点数の増加と組立作業の複雑化を抑えることができ、製造コストを低減できる効果がある。
【図面の簡単な説明】
【０００８】
【図１】本考案による構成の一実施例を示す図である。
【図２】本考案による構成の一実施例を示す図であり、図１の右サイドボタン１を押下してメカスイッチ１０がスイッチオンしている状態の図である。
【図３】本考案による構成の一実施例を示す図であり、図１の左サイドボタン２を押下してメカスイッチ１０がスイッチオンしている状態の図である。
【図４】本考案による構成の一実施例を用いた握りボタンユニットの外観を示す図である。
【考案を実施するための形態】
【０００９】
以下、図面を参照して本考案の実施形態について詳細を説明する。
一実施例として、ナースコール等で使用される呼び出し側の握りボタンユニットの両側面に呼び出しボタンを配した製品を例に、本考案の構造を説明する。
【実施例１】
【００１０】
図１は、本考案による構成の一実施例を示す図である。１は右サイドボタン、２は右サイドボタン１と同じ機能の左サイドボタン、４１は右サイドボタン１を押下したときの固定端であり且つ回転軸、４２は左サイドボタン２を押下したときの固定端であり且つ回転軸、１０は電気回路基板２０に配置されるメカスイッチである。
【００１１】
図２は、本考案による構成の一実施例を示す図であり、図１の右サイドボタン１を押下してメカスイッチ１０がスイッチオンしている状態の図である。右サイドボタン１を押下することで右サイドボタン１は右サイドボタン回転軸４１を中心とした回転運動を行い、その軌跡で電気回路基板２０上にあるメカスイッチ１０をスイッチオンさせる。
【００１２】
図３は、本考案による構成の一実施例を示す図であり、図１の左サイドボタン２を押下してメカスイッチ１０がスイッチオンしている状態の図である。左サイドボタン２を押下することで左サイドボタン２は左サイドボタン回転軸４２を中心とした回転運動を行う軌跡によって、電気回路基板２０をたわませることで、電気回路基板２０上に配置されたメカスイッチ１０を右サイドボタン１側に移動してメカスイッチ１０をスイッチオンさせる。
【００１３】
図４は本考案による構成の一実施例を用いた握りボタンユニットの外観を示す図である。３０は筐体ケースであり、右サイドボタン１、左サイドボタン２、右サイドボタン回転軸４１、左サイドボタン回転軸４２、メカスイッチ１０、電気回路基板２０を内包する役割を果たす。
【００１４】
以上説明した通り、本考案によれば、複数のボタンの押下に係る接点構造を、１個のメカスイッチで実現できるため、従来必要であったカム構造によるボタンの押下の移動方向の方向変換機構が不要で、部品点数の増加と組立作業の複雑化を抑えることができ、製造コストを低減できる。
【符号の説明】
【００１５】
１        右サイドボタン
２        左サイドボタン
１０      メカスイッチ
２０      電気回路基板
３０      筐体ケース
４１      右サイドボタン回転軸
４２      左サイドボタン回転軸
【図１】
0003162933.tif 000003
【図２】
0003162933.tif 000004
【図３】
0003162933.tif 000005
【図４】
0003162933.tif 000006